(57)【要約】【課題】省電力で、かつ、屋内でも高い精度で子端末の位置を検出できる捜索システムおよび携帯通信端末を提供すること。【解決手段】迷子捜索システム１００において、ＢＣＭＣＳ配信サーバ１２０は、所定周期で番組配信に係る報知情報を、複数の基地局１１０を介して配信し、携帯電話機１ａおよび携帯電話機１ｂは、ＢＣＭＣＳ配信サーバ１２０により配信される報知情報に含まれるいずれかのフローＩＤを共通して記憶する記憶部６０と、所定周期で報知情報を受信したことに応じて、端末情報およびフローＩＤを含む登録メッセージを、当該報知情報を受信した基地局１１０へ送信する端末情報送信部３１と、を備え、迷子捜索サーバ１３０は、基地局１１０を介して受信する登録メッセージに関して、所定の条件を満たした場合に、携帯電話機１ａへ通知する。【選択図】図１
2011071940.tif 000002
【特許請求の範囲】
【請求項１】
捜索サーバ、配信サーバ、複数の基地局、親携帯通信端末および子携帯通信端末を備えた捜索システムであって、
前記配信サーバは、
所定周期で番組配信に係る報知情報を、前記複数の基地局を介して配信する配信部を備え、
前記親携帯通信端末および子携帯通信端末は、
前記配信サーバにより配信される報知情報に含まれるいずれかの番組識別データを共通して記憶する記憶部と、
前記所定周期で前記報知情報を受信したことに応じて、端末情報および前記番組識別データを含む登録メッセージを、当該報知情報を受信した基地局へ送信する端末情報送信部と、を備え、
前記捜索サーバは、
前記基地局を介して受信する前記登録メッセージに関して、所定の条件を満たした場合に、前記親携帯通信端末へ通知する通知部を備える捜索システム。
【請求項２】
前記通知部は、前記所定の条件として、前記登録メッセージを受信した基地局間の距離が所定以上である場合に、前記親携帯通信端末へ通知することを特徴とする請求項１に記載の捜索システム。
【請求項３】
前記通知部は、前記所定の条件として、前記子携帯通信端末からの登録メッセージを受信できなかった場合に、前記親携帯通信端末へ通知することを特徴とする請求項１または請求項２に記載の捜索システム。
【請求項４】
前記配信部は、前記番組識別データが異なる複数の報知情報を、時間をずらして同一の周期で配信することを特徴とする請求項１から請求項３のいずれか１項に記載の捜索システム。
【請求項５】
前記番組配信は、ＣＤＭＡ２０００＿１ｘ＿ＥＶＤＯにおけるＢＣＭＣＳにより提供され、
前記登録メッセージは、前記報知情報（Ｂｒｏａｄｃａｓｔ  Ｏｖｅｒｈｅａｄ  Ｍｅｓｓａｇｅ）において、所定のパラメータ（Ｒｅｇｉｓｔｅｒ  Ｆｏｒ  Ｐａｇｉｎｇ）が設定されていることに応じて送信されるメッセージ（ＢＣＭＣＳ  Ｆｌｏｗ  Ｒｅｇｉｓｔｒａｔｉｏｎ  Ｍｅｓｓａｇｅ）であることを特徴とする請求項１から請求項４のいずれか１項に記載の捜索システム。
【請求項６】
所定周期で複数の基地局それぞれを介して配信報知されるいずれかの番組の番組識別データを、子携帯通信端末と共通して記憶する記憶部と、
前記記憶部に記憶されている番組識別データを含む報知情報を受信したことに応じて、端末情報および前記番組識別データを含む登録メッセージを、当該報知情報を受信した基地局へ送信する端末情報送信部と、
前記端末情報送信部により送信された登録メッセージおよび、前記子携帯通信端末から送信される登録メッセージを受信する捜索サーバにおいて、所定の条件を満たした場合に通知されるデータを受信する受信部と、
前記受信部により受信されたデータに基づいて、前記子携帯通信端末の所在に関する情報を報知する報知部と、を備える携帯通信端末。
【発明の詳細な説明】
【技術分野】
【０００１】
本発明は、捜索システムおよび携帯通信端末に関する。
【背景技術】
【０００２】
従来、携帯通信端末を用いて迷子の捜索を行うシステムが提案されている。例えば、特許文献１では、ＧＰＳ（Ｇｌｏｂａｌ  Ｐｏｓｉｔｉｏｎｉｎｇ  Ｓｙｓｔｅｍ）を用いて迷子の捜索を行うシステムが提案されている。また、特許文献２では、親端末と子端末のそれぞれが近距離無線通信で位置情報を送出しあうことで位置関係を把握するシステムが提案されている。
【先行技術文献】
【特許文献】
【０００３】
【特許文献１】特開２００７−１６４６６３号公報
【特許文献２】特開２００９−００３８５２号公報
【発明の概要】
【発明が解決しようとする課題】
【０００４】
しかしながら、特許文献１のシステムでは、屋内でのＧＰＳ電波が不安定であるため、位置測定精度が十分に得られない場合がある。また、特許文献２のシステムでは、親端末と子端末は、それぞれ位置情報を定期的に送出する必要があるため、電力消費が増大する。
【０００５】
本発明は、省電力で、かつ、屋内でも高い精度で子端末の位置を検出できる迷子捜索システムおよび携帯通信端末を提供することを目的とする。
【課題を解決するための手段】
【０００６】
本発明に係る迷子捜索システムは、捜索サーバ、配信サーバ、複数の基地局、親携帯通信端末および子携帯通信端末を備えたシステムであって、前記配信サーバは、所定周期で番組配信に係る報知情報を、前記複数の基地局を介して配信する配信部を備え、前記親携帯通信端末および子携帯通信端末は、前記配信サーバにより配信される報知情報に含まれるいずれかの番組識別データを共通して記憶する記憶部と、前記所定周期で前記報知情報を受信したことに応じて、端末情報および前記番組識別データを含む登録メッセージを、当該報知情報を受信した基地局へ送信する端末情報送信部と、を備え、前記捜索サーバは、前記基地局を介して受信する前記登録メッセージに関して、所定の条件を満たした場合に、前記親携帯通信端末へ通知する通知部を備える。
【０００７】
また、前記通知部は、前記所定の条件として、前記登録メッセージを受信した基地局間の距離が所定以上である場合に、前記親携帯通信端末へ通知することが好ましい。
【０００８】
また、前記通知部は、前記所定の条件として、前記子携帯通信端末からの登録メッセージを受信できなかった場合に、前記親携帯通信端末へ通知することが好ましい。
【０００９】
また、前記配信部は、前記番組識別データが異なる複数の報知情報を、時間をずらして同一の周期で配信することが好ましい。
【００１０】
また、前記番組配信は、ＣＤＭＡ２０００＿１ｘ＿ＥＶＤＯにおけるＢＣＭＣＳにより提供され、前記登録メッセージは、前記報知情報（Ｂｒｏａｄｃａｓｔ  Ｏｖｅｒｈｅａｄ  Ｍｅｓｓａｇｅ）において、所定のパラメータ（Ｒｅｇｉｓｔｅｒ  Ｆｏｒ  Ｐａｇｉｎｇ）が設定されていることに応じて送信されるメッセージ（ＢＣＭＣＳ  Ｆｌｏｗ  Ｒｅｇｉｓｔｒａｔｉｏｎ  Ｍｅｓｓａｇｅ）であることが好ましい。
【００１１】
本発明に係る携帯通信端末は、所定周期で複数の基地局それぞれを介して配信報知されるいずれかの番組の番組識別データを、子携帯通信端末と共通して記憶する記憶部と、前記記憶部に記憶されている番組識別データを含む報知情報を受信したことに応じて、端末情報および前記番組識別データを含む登録メッセージを、当該報知情報を受信した基地局へ送信する端末情報送信部と、前記端末情報送信部により送信された登録メッセージおよび、前記子携帯通信端末から送信される登録メッセージを受信する捜索サーバにおいて、所定の条件を満たした場合に通知されるデータを受信する受信部と、前記受信部により受信されたデータに基づいて、前記子携帯通信端末の所在に関する情報を報知する報知部と、を備える。
【発明の効果】
【００１２】
本発明によれば、省電力で、かつ、屋内でも高い精度で子端末の位置を検出できる。
【図面の簡単な説明】
【００１３】
【図１】本発明の実施形態に係る迷子捜索システムの構成を示す図である。
【図２】本発明の実施形態に係る携帯電話機の外観斜視図である。
【図３】本発明の実施形態に係る携帯電話機の機能を示すブロック図である。
【図４】本発明の実施形態に係る迷子捜索システムにおける処理の流れを示すシーケンス図である。
【図５】本発明の実施形態に係る報知情報の一例を示す図である。
【発明を実施するための形態】
【００１４】
以下、本発明の好適な実施形態について説明する。なお、本実施形態では、携帯通信端末の一例として、携帯電話機１を説明する。
【００１５】
図１は、本実施形態に係る迷子捜索システム１００の構成を示す図である。
基地局１１０（１１０ａおよび１１０ｂ）、ＢＣＭＣＳ配信サーバ１２０（配信サーバ）および迷子捜索サーバ１３０（捜索サーバ）は、ネットワークを介して互いに接続されている。
【００１６】
また、基地局１１０は、自身の通信エリア内の携帯電話機１（１ａ、１ｂ、１ｃおよび１ｄ）と無線通信を行う。具体的には、携帯電話機１は、所定以上の電界強度が得られる基地局１１０に対して自端末の位置登録を行い、基地局１１０は、位置登録が行われた携帯電話機１を通信対象とする。
【００１７】
ここで、基地局１１０は、通信可能エリアが通常の基地局より狭い（例えば、半径数十ｍまで）Ｆｅｍｔｏ（フェムト）セルを実現する小型の基地局である。このＦｅｍｔｏセルを用いたＦｅｍｔｏシステムは、高層マンションやショッピングセンタ等における電波の不感地対策として、複数の小型基地局を設置し、ブロードバンド回線等を使用して音声またはデータ通信を行うシステムある。
【００１８】
基地局１１０は、電話回線、光ファイバーまたはＣＡＴＶ用ケーブル等と接続し、エリア内の携帯電話機１が捕捉できる電波を発する。発する電波は、出力強度以外は通常のセル（半径数百ｍから十数ｋｍ）を構成する基地局と同様であるため、携帯電話機１は、通常の基地局と同様に、この小型の基地局１１０と通信することができる。
【００１９】
ＢＣＭＣＳ配信サーバ１２０は、ＢＣＭＣＳ（Ｂｒｏａｄｃａｓｔ  Ｍｕｌｔｉｃａｓｔ  Ｓｅｒｖｉｃｅ）の番組配信を管理するサーバである。ＢＣＭＣＳとは、ＣＤＭＡ２０００＿１ｘ＿ＥＶＤＯの通信プロトコルにおいて、基地局１１０を介して通信エリア内の全ユーザに向けてデータを一斉配信するサービスである。このサービスでは、ユーザは、予め受信したいＢＣＭＣＳ番組の情報を携帯電話機１に登録しておく。携帯電話機１は、登録した番組の配信開始時刻になると、通信エリア（Ｆｅｍｔｏセルａまたはｂ）内で送信されている報知情報（Ｂｒｏａｄｃａｓｔ  Ｏｖｅｒｈｅａｄ  Ｍｅｓｓａｇｅ、ＢＯＭ）を受信し、登録した番組が配信されていることを確認できたらデータ受信を開始する。
【００２０】
基地局１１０は、ＢＣＭＣＳ配信サーバ１２０（配信部）からの番組配信要求に応じて、通信エリア内へ報知情報を送信する。報知情報には、所定のパラメータ（Ｒｅｇｉｓｔｅｒ  Ｆｏｒ  Ｐａｇｉｎｇ）があり、このパラメータに「１」が設定されている場合には、番組を受信する携帯電話機１に対して、登録メッセージ（ＢＣＭＣＳ  Ｆｌｏｗ  Ｒｅｇｉｓｔｒａｔｉｏｎ  Ｍｅｓｓａｇｅ）の送信を要求する。すなわち、報知情報を受信した携帯電話機１は、パラメータを参照し、「Ｒｅｇｉｓｔｅｒ  Ｆｏｒ  Ｐａｇｉｎｇ」が「１」の場合は、自動的に登録メッセージを基地局１１０へ送信する。
【００２１】
ここで、報知情報には、フロー（Ｆｌｏｗ）ＩＤと呼ばれる番組識別データが含まれている。ＢＣＭＣＳ番組の情報として携帯電話機１に予め登録されているフローＩＤが報知情報に含まれている場合に、携帯電話機１は、登録した番組が配信されていると判断し、このフローＩＤを含んだ登録メッセージを基地局１１０へ送信する。
【００２２】
そして、基地局１１０は、携帯電話機１から登録メッセージを受信したことに応じて、配信しようとしているＢＣＭＣＳ番組を受信する携帯電話機１の情報を知る。この登録メッセージをいずれの携帯電話機１からも受信しなかった場合には、ＢＣＭＣＳ番組の受信を待機している携帯電話機１が存在しないと判断し、基地局１１０は、ＢＣＭＣＳ番組の送信を停止することができる。
【００２３】
また、携帯電話機１は、ＢＣＭＣＳ番組の受信中に、定期的に基地局１１０に対して登録メッセージを送信することにより、現在ＢＣＭＣＳ番組を受信中であることを基地局１１０へ通知することができる。基地局１１０は、一定時間、携帯電話機１からの登録メッセージを受信しなかった場合、配信中のＢＣＭＣＳ番組を受信している携帯電話機１が存在しないと判断し、ＢＣＭＣＳ番組の送信を停止することができる。
【００２４】
なお、本実施形態においては、必ずしもＢＣＭＣＳ番組本体の送信は必要とせず、報知情報と登録メッセージの送受信により本発明を実施できる。
【００２５】
迷子捜索サーバ１３０は、ＢＣＭＣＳの報知情報に応じて携帯電話機１から自動的に送信された登録メッセージに基づいて、携帯電話機１の位置情報を取得する。
【００２６】
ここで、携帯電話機１の位置情報は、ＧＰＳを用いて取得することもできるが、Ｆｅｍｔｏセルの通信可能エリアが狭いことを利用し、携帯電話機１が複数のＦｅｍｔｏセルのいずれに位置しているかを検知することにより、基地局１１０の位置情報を携帯電話機１の位置情報として近似的に用いることができる。したがって、迷子捜索サーバ１３０は、携帯電話機１がＧＰＳに対応していない場合でも位置情報を取得できる。なお、携帯電話機１の位置情報は、基地局１１０の位置情報に加えて、基地局１１０からの距離に応じて減衰する受信電界強度を加味して算出されてもよい。
【００２７】
迷子捜索システム１００においては、予め保護者が携帯する親端末（例えば、携帯電話機１ａまたは１ｃ）と、子供が携帯する子端末（例えば、携帯電話機１ｂまたは１ｄ）とで、同一のフローＩＤを登録しておく。ここで、フローＩＤは、迷子捜索システム１００のサービス提供エリア内において、親端末と子端末の組み合わせ毎に重複しないように設定される。例えば、親Ａ（携帯電話機１ａ）と子Ａ（携帯電話機１ｂ）の組み合わせは「フローＩＤ＝１００」であり、親Ｂ（携帯電話機１ｃ）と子Ｂ（携帯電話機１ｄ）の組み合わせは「フローＩＤ＝２００」である。すると、迷子捜索サーバ１３０は、携帯電話機１から送信される登録メッセージに基づいて、同一のフローＩＤを含む登録メッセージ同士を対応付けて、これらの端末の位置関係を取得できる。
【００２８】
このことにより、迷子捜索サーバ１３０（通知部）は、例えば、同一のフローＩＤが登録されている親端末（携帯電話機１ａ）と子端末（携帯電話機１ｂ）との距離が所定以上である場合に、親端末へ子供の居場所として子端末の位置情報を通知したり、子端末からの登録メッセージを取得できない場合に、子端末が通信エリア外へ移動した可能性を親端末へ通知したりできる。なお、親端末への通知は、ＳＭＳ（Ｓｈｏｒｔ  Ｍｅｓｓａｇｅ  Ｓｅｒｖｉｃｅ）により行われることとしてよい。
【００２９】
図２は、本実施形態に係る携帯電話機１（携帯通信端末）の外観斜視図である。
携帯電話機１は、操作部側筐体２と、表示部側筐体３と、を備えて構成される。操作部側筐体２は、表面部１０に、操作部１１と、携帯電話機１の使用者が通話時や音声認識アプリケーションを利用時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００３０】
また、表示部側筐体３は、表面部２０に、各種情報を表示するための表示部２１と、通話の相手側の音声を出力するレシーバ２２と、を備えて構成されている。
【００３１】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００３２】
図３は、本実施形態に係る携帯電話機１の機能を示すブロック図である。携帯電話機１は、操作部１１と、表示部２１（報知部）と、制御部３０と、通信部４０と、アンテナ４１と、音声制御部５０（報知部）と、記憶部６０と、を備える。
【００３３】
制御部３０は、携帯電話機１の全体を制御しており、例えば、表示部２１、通信部４０、音声制御部５０等に対して所定の制御を行う。また、制御部３０は、操作部１１等から入力を受け付けて、各種処理を実行する。そして、制御部３０は、処理実行の際には、記憶部６０を制御し、各種プログラムおよびデータの読み出し、およびデータの書き込みを行う。なお、本実施形態に係る制御部３０の各機能は後述する。
【００３４】
通信部４０は、所定の使用周波数帯（例えば、２ＧＨｚ帯や８００ＭＨｚ帯等）で外部装置（基地局１１０）と通信を行う。そして、通信部４０は、アンテナ４１より受信した信号を復調処理し、処理後の信号を制御部３０に供給し、また、制御部３０から供給された信号を変調処理し、アンテナ４１から外部装置に送信する。
【００３５】
ここで、通信部４０は、データ通信専用の通信プロトコルであるＣＤＭＡ２０００＿１ｘ＿ＥＶＤＯに対応している。通信部４０は、制御部３０からの指令に基づいて、このプロトコルにより、ＢＣＭＣＳの報知情報（ＢＯＭ）を受信する。
【００３６】
なお、大容量の情報配信サービスの例として、ＣＤＭＡ２０００＿１ｘのＥＶＤＯにおけるＢＣＭＣＳを例に説明を行うが、これに限定されるものではない。例えば、３ＧＰＰ仕様においてＵＭＴＳ用として最初にＲｅｌｅａｓｅ６で登場したＭＢＭＳ（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ）、ＬＴＥ（Ｌｏｎｇ  Ｔｅｒｍ  Ｅｖｏｌｕｔｉｏｎ）用にＲｅｌｅａｓｅ９で定義される予定のｅＭＢＭＳであってもよい。以降、説明の簡略化のため、ＣＤＭＡ２０００＿１ｘのＥＶＤＯにおけるＢＣＭＣＳを例に用いて説明を行う。
【００３７】
音声制御部５０は、制御部３０の制御に従って、通信部４０から供給された信号に対して所定の音声処理を行い、処理後の信号をレシーバ２２に出力する。レシーバ２２は、音声制御部５０から供給された信号を外部に出力する。なお、この信号は、レシーバ２２に代えて、または、レシーバ２２と共に、スピーカ（図示せず）から出力されるとしてもよい。
【００３８】
また、音声制御部５０は、制御部３０の制御に従って、マイク１２から入力された信号を処理し、処理後の信号を通信部４０に出力する。通信部４０は、音声制御部５０から供給された信号に所定の処理を行い、処理後の信号をアンテナ４１より出力する。
【００３９】
さらに、音声制御部５０は、報知部としても機能する。具体的には、音声制御部５０は、迷子捜索サーバ１３０から子端末の位置情報が通知された場合に、所定の音声を出力することにより、親端末のユーザへ通知があったことを報知する。なお、報知部は、バイブレーションやＬＥＤの発光等、種々のものであってもよい。これらの報知部により、表示部２１に通知情報が表示された際に、通知内容をユーザへ速やかに知らせることができる。
【００４０】
記憶部６０は、例えば、ワーキングメモリを含み、制御部３０による演算処理に利用される。また、本実施形態に係る各種プログラム等を記憶する。さらに、記憶部６０は、迷子捜索システム１００のサービス提供エリアに設置されている複数の基地局１１０の識別情報リスト（例えば、周波数、チャネル等）と、迷子捜索用のＢＣＭＣＳ番組の番組識別データ（フローＩＤ）とを記憶する。なお、記憶部６０は、着脱可能な外部メモリを兼ねていてもよい。
【００４１】
次に、制御部３０の機能を詳述する。制御部３０は、端末情報送信部３１と、迷子情報受信部３２（受信部）と、を備える。
【００４２】
端末情報送信部３１は、基地局１１０から所定周期で送信される報知情報を受信したことに応じて、所定のパラメータ（Ｒｅｇｉｓｔｅｒ  Ｆｏｒ  Ｐａｇｉｎｇ）を参照し、このパラメータが「１」であることを確認すると、携帯電話機１の端末情報およびフローＩＤを含む登録メッセージを、この報知情報を受信した基地局１１０へ送信する。
【００４３】
迷子情報受信部３２は、親端末と子端末との距離が離れている、または子端末の位置情報が得られない場合に、迷子捜索サーバ１３０から通知される迷子情報（子端末の位置情報）を受信する。また、受信した迷子情報は、表示部２１により表示される。
【００４４】
図４は、本実施形態に係る迷子捜索システム１００における処理の流れを示すシーケンス図である。なお、親端末（携帯電話機１ａ）はＦｅｍｔｏセルａに、子端末（携帯電話機１ｂ）はＦｅｍｔｏセルｂにあるものとする。
【００４５】
ステップＳ１では、親端末は、サービス提供エリア内の基地局１１０の電波を捕捉するための基地局情報リストの設定を行うと共に、迷子捜索ＢＣＭＣＳ番組を登録する。このとき、番組識別データとしてのフローＩＤは「１００」が設定されたとする。
【００４６】
ステップＳ２では、子端末は、親端末と同様に、基地局情報リストの設定を行うと共に、迷子捜索ＢＣＭＣＳ番組を登録する。このとき、番組識別データとしてのフローＩＤは、親端末と共通の「１００」が設定される。
【００４７】
ステップＳ３では、ＢＣＭＣＳ配信サーバ１２０は、迷子捜索ＢＣＭＣＳ番組の配信データを生成し、配信準備を開始する。
【００４８】
ステップＳ４およびステップＳ５では、ＢＣＭＣＳ配信サーバ１２０は、定期的に（例えば、５分毎に）報知情報を送信するため、サービスエリア内（例えば、Ｆｅｍｔｏセルａおよびｂ）の基地局１１０（例えば、基地局１１０ａおよび１１０ｂ）へ配信の準備を要求する。
【００４９】
ステップＳ６では、Ｆｅｍｔｏセルｂの基地局１１０ｂは、セル内の携帯電話機１へ、パラメータ（Ｒｅｇｉｓｔｅｒ  Ｆｏｒ  Ｐａｇｉｎｇ）を「１」に設定した上で、フローＩＤ（＝１００）を含んだ報知情報（ＢＯＭ）を送信する。
【００５０】
ステップＳ７では、Ｆｅｍｔｏセルｂにある子端末は、ステップＳ６の報知情報を受信すると、自動的に、自端末の端末情報およびフローＩＤ（＝１００）を含んだ登録メッセージを、基地局１１０ｂへ送信する。
【００５１】
ステップＳ８では、基地局１１０ｂは、ステップＳ７で受信した登録メッセージから子端末の端末情報を抽出し、この端末情報を迷子捜索サーバ１３０へ通知する。
【００５２】
ステップＳ９では、Ｆｅｍｔｏセルａの基地局１１０ａは、セル内の携帯電話機１へ、パラメータ（Ｒｅｇｉｓｔｅｒ  Ｆｏｒ  Ｐａｇｉｎｇ）を「１」に設定した上で、フローＩＤ（＝１００）を含んだ報知情報（ＢＯＭ）を送信する。
【００５３】
ステップＳ１０では、Ｆｅｍｔｏセルａにある親端末は、ステップＳ９の報知情報を受信すると、自動的に、自端末の端末情報およびフローＩＤ（＝１００）を含んだ登録メッセージを、基地局１１０ａへ送信する。
【００５４】
ステップＳ１１では、基地局１１０ａは、ステップＳ１０で受信した登録メッセージから親端末の端末情報を抽出し、この端末情報を迷子捜索サーバ１３０へ通知する。
【００５５】
ステップＳ１２では、迷子捜索サーバ１３０は、子端末からの登録メッセージを受信したか否かを判定する。この判定がＹＥＳの場合は、処理をステップＳ１４に移し、判定がＮＯの場合は、処理をステップＳ１３に移す。
【００５６】
ステップＳ１３では、迷子捜索サーバ１３０は、子端末の位置情報が取得できなかったので、子端末がサービスエリア内にないことを、ＳＭＳにより親端末へ通知する。
【００５７】
ステップＳ１４では、迷子捜索サーバ１３０は、親端末と子端末の距離を算出する。具体的には、登録メッセージを受信した基地局１１０ａと基地局１１０ｂとの距離であってもよい。
【００５８】
ステップＳ１５では、迷子捜索サーバ１３０は、ステップＳ１４で算出した距離が一定以上（例えば、３０ｍ以上）であるか否かを判定する。この判定がＹＥＳの場合は、処理をステップＳ１６に移し、判定がＮＯの場合は、迷子情報の通知は不要なので、次回の登録メッセージの受信まで待機する。
【００５９】
ステップＳ１６では、迷子捜索サーバ１３０は、子端末が親端末から所定以上離れているので、子端末の位置情報を、ＳＭＳにより親端末へ通知する。
【００６０】
本実施形態によれば、既存の携帯通信端末に対して基地局１１０の情報および迷子捜索ＢＣＭＣＳ番組の登録を行うことにより、携帯電話機１として機能させることができる。したがって、ユーザは、迷子捜索のサービス提供エリアにおいて、特別な端末を用いることなく、ユーザ自身の所有する携帯通信端末を用いてサービスの提供を受けることができる。
【００６１】
また、親端末と子端末とがそれぞれ、報知情報に応答して自動で登録メッセージを送信するので、迷子捜索サーバ１３０は、各端末のユーザ（例えば、保護者と子供）に操作入力をさせることなく、位置情報を取得することができる。さらに、通信エリアの狭いＦｅｍｔｏセルを用いることで、屋内であっても、基地局１１０の位置情報を用いて、親端末および子端末の位置情報を高精度に取得することができる。
【００６２】
また、迷子捜索サーバ１３０は、定期的に取得する位置情報に基づいて、親端末と子端末とが所定以上離れた場合や、子端末の位置情報を取得できない場合に、親端末へ通知する。したがって、親端末のユーザ（保護者）は、子供が離れたことを適時に把握することができる。さらに、サービス提供エリア外へ子端末が移動した場合には、この子端末が最後に登録メッセージを送信した基地局１１０が分かるので、どこから外へ移動したかを把握することができる。
【００６３】
また、本実施形態によれば、迷子捜索のために携帯電話機１が送信するデータは登録メッセージのみであり、特許文献２のように近距離無線通信で位置情報を送出しあうのに比べて、電力消費が低減される。さらに、ＢＣＭＣＳの番組本体の配信を行わないため、携帯電話機１の受信パケット量を抑制できる。したがって、携帯電話機１の電力消費は低減され、かつ、ネットワークの負荷も低減される。
【００６４】
また、迷子捜索システム１００では、親端末と子端末の組み合わせ（例えば、保護者と子供）毎に異なるフローＩＤを登録するので、それぞれの組み合わせ毎の位置関係を把握できる。なお、これら異なるフローＩＤは、１つの報知情報に含めて配信される。
【００６５】
図５は、本実施形態に係る報知情報の一例を示す図である。
この例では、報知情報にフローＩＤが１００個含まれており（ｂｃｍｃｓ＿ｆｌｏｗ＿ｃｏｕｎｔ＝１００）、この中には、例えば、「１００」、「２００」および「３００」があることが示されている。
【００６６】
ここで、１つの報知情報には、フローＩＤを最大１２７個まで含められることが規定されている。したがって、サービスの利用者が多く、１２７個よりも多いフローＩＤを報知する必要がある場合には、複数の異なる報知情報を送信することとしてよい。この場合、異なる報知情報のそれぞれを、時間をずらして同一の周期で送信する。
【００６７】
また、迷子捜索ＢＣＭＣＳ番組の識別データや配信時刻の情報は、サービスの提供を終了（登録解除）する際、特にユーザが端末を借りていた場合には、この端末をサービス提供者（例えば、ショッピングセンタ）に返却する際に、サービス提供者側にて登録を解除するのに伴って消去される。ところで、迷子捜索のための配信情報（報知情報）の監視は定期的に行うため、サービス提供エリア外に出ても、配信されもしない配信情報を監視してしまい、無駄な電力消費が生じてしまう。登録解除時に配信に関する情報を削除することにより、この無駄な電力消費を防止することができる。なお、サービス提供者側ではユーザの情報を保持しているので、所定の時刻までに登録解除が行われていなければ、呼び出して登録解除や端末の返却をさせることができ、このときにも配信に関する情報を削除できる。
【００６８】
以上、好適な実施形態について説明したが、本発明は前述した実施形態に限定されることなく種々の形態で実施することができる。また、前述の実施形態に記載された効果は、本発明から生じる最も好適な効果を列挙したに過ぎず、本発明による効果は、前述のものに限定されない。
【００６９】
例えば、徘徊の多い人やペットに携帯させている端末に本発明を適用することにより、この人やペットの居場所を容易に把握することができる。また、財布等の持ち物に取り付けられた通信モジュールに本発明を適用し、持ち物が紛失や盗難等にあった場合の捜索に役立てることができる。
【００７０】
また、前述の実施形態において、携帯通信端末として携帯電話機１について説明しているが、携帯通信端末はこれに限定されず、本発明は、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ゲーム機、ナビゲーション装置、パーソナルコンピュータ等の様々な携帯通信端末に適用可能である。
【００７１】
また、前述の実施形態において、携帯電話機１は、ヒンジ機構４により折り畳み可能な型式としたが、これには限られない。携帯電話機１は、このような折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが１つの筐体に配置され連結部を有さない型式（ストレートタイプ）でもよい。また、携帯電話機１は、開閉および回転可能ないわゆる２軸ヒンジタイプであってもよい。
【符号の説明】
【００７２】
１  携帯電話機（携帯通信端末）
１ａ、１ｃ  親端末（親携帯通信端末）
１ｂ、１ｄ  子端末（子携帯通信端末）
１１  操作部
２１  表示部（報知部）
３０  制御部
３１  端末情報送信部
３２  迷子情報受信部（受信部）
４０  通信部
４１  アンテナ
５０  音声制御部（報知部）
６０  記憶部
１００  迷子捜索システム（捜索システム）
１１０、１１０ａ、１１０ｂ  基地局
１２０  ＢＣＭＣＳ配信サーバ（配信サーバ、配信部）
１３０  迷子捜索サーバ（捜索サーバ、通知部）
【図１】
2011071940.tif 000003
【図２】
2011071940.tif 000004
【図３】
2011071940.tif 000005
【図４】
2011071940.tif 000006
【図５】
2011071940.tif 000007